(57)【特許請求の範囲】
【請求項１】
溶液の質量％として表される過酸化水素濃度［Ｈ2Ｏ2］および
ｐＨ最低＝３．４５−０．０３７７×［Ｈ2Ｏ2］
ｐＨ最高＝３．７６−０．０３７９×［Ｈ2Ｏ2］
であるような、ｐＨ最低からｐＨ最高の見掛けｐＨを有する過酸化水素水溶液であって、
溶液の質量を基準として０．０１〜５００ｐｐｍのＴＯＣ含有率を有し、
０．１〜５ミリモル／Ｌの滴定によって測定される酸濃度を有し、
前記ＴＯＣが、ジメチルヘプタノール、ジイソブチルカルビノール、２，６−ジメチル−１，４−ヘプタンジオール、メチルシクロヘキシルアセテート、メチルシクロヘキサノール、テトラブチル尿素、トリオクチルホスフェート、および／またはアルキル化芳香族溶媒の分解生成物から選ばれた少なくとも１つの有機化合物を含有する過酸化水素水溶液。
【請求項２】
溶液の質量を基準として１００〜２５０ｐｐｍのＴＯＣ含有率を有する、請求項１に記載の過酸化水素水溶液。
【請求項３】
溶液の質量を基準として、１〜２００ｐｐｍでアルカリ金属およびアルカリ土類金属を含有する、請求項１または２に記載の過酸化水素水溶液。
【請求項４】
溶液の質量を基準として、５０〜２００ｐｐｍの量で陰イオンを含有する、請求項１〜３のいずれか一項に記載の過酸化水素水溶液。
【請求項５】
硝酸、リン酸、安息香酸、ジピコリン酸（ＤＰＡ）からなる群から、硝酸塩、リン酸塩、ピロリン酸塩、スズ酸塩、安息香酸塩、サリチル酸塩、ジエチレントリアミンペンタ（メチレンホスホネート）、およびそれらの混合物から選ばれた塩から、およびそれらの混合物から選ばれた少なくとも１つの安定剤を含有する、請求項１〜４のいずれか一項に記載の過酸化水素水溶液。
【請求項６】
前記見掛けｐＨが強鉱酸の添加によって調整される、請求項１〜５のいずれか一項に記載の過酸化水素水溶液。
【請求項７】
３８〜４２質量％の過酸化水素濃度、本発明により定義されるｐＨ最低からｐＨ最高の、すなわち、それぞれ２．０２〜１．８７のおよび２．３１〜２．１７の範囲に含まれる見掛けｐＨ、１５０〜２２０ｐｐｍのＴＯＣ含有率、２０〜３０ｐｐｍのアルカリ金属およびアルカリ土類金属の含有率、ならびに１００〜３００ｐｐｍの陰イオン含有率を有する、請求項１〜６のいずれか一項に記載の過酸化水素水溶液。
【請求項８】
ａ）少なくとも１つの有機溶媒および少なくとも１つのアントラキノン化合物を含む作業溶液の水素化工程と、
ｂ）過酸化水素を形成するための水素化作業溶液の酸化工程と、
ｃ）水性媒体での過酸化水素の抽出工程と、
ｄ）場合により、抽出過酸化水素水溶液に安定剤を添加する工程と、
ｅ）過酸化水素水溶液を所望の過酸化水素濃度に濃縮する工程と、
ｆ）場合により、過酸化水素水溶液のｐＨを合わせる工程と
を含むアントラキノン・ループ法による請求項１〜７のいずれか一項に記載の過酸化水素水溶液の製造方法。
【請求項９】
プロピレンまたは塩化アリルと過酸化水素との間の反応によるプロピレンオキシドまたはエピクロロヒドリンの製造のための請求項１〜７のいずれか一項に記載の過酸化水素水溶液の使用。
【請求項１０】
請求項１〜７のいずれか一項に記載の過酸化水素水溶液が使用される、プロピレンまたは塩化アリルと過酸化水素との間の反応によるプロピレンオキシドまたはエピクロロヒドリンの製造方法。
【発明の詳細な説明】
【技術分野】
【０００１】
関連出願の相互参照
本件出願は２００７年４月５日出願の欧州特許出願ＥＰ第０７１０５７１２．９号明細書の優先権を主張するものである。
【０００２】
本発明は特有の過酸化水素水溶液に関する。より具体的には、それは、特有の範囲の見掛けｐＨを有する過酸化水素水溶液に関する。本発明はまた、特有のＴＯＣ含有率を有する過酸化水素水溶液に関する。本発明はまた、前記過酸化水素溶液の製造方法、ならびにオレフィンのエポキシ化法での前記溶液の使用に関する。
【背景技術】
【０００３】
不均一触媒の存在下に過酸化水素を使用してオレフィンをオキシランに変換すること、より具体的にはプロピレンを過酸化水素との反応によってプロピレンオキシド（１，２−エポキシプロパン）に変換することは公知である。この分野で、触媒の選択性および／または活性（転化率）を増大させるために多くの研究が行われてきた。触媒の調製中のまたは反応中の塩基性、酸性およびイオン化合物の添加の、触媒の選択性および活性への影響がとりわけ研究されてきた。ＤＥ第１９９  ３６  ５４７号明細書に例示されたように、他の重要なパラメータは、転化率を一定に保つために調節することができる反応温度および反応混合物のｐＨである。
国際特許出願国際公開第２００４／０２８９６２号パンフレットは、不均一触媒の存在下にオレフィンのエポキシ化に特に好適である、最大量のアルカリ金属、アルカリ土類金属、および４．５未満のｐＫBを有するアミンによって特徴付けられる過酸化水素水溶液を開示している。この国際特許出願によれば、触媒の長期間活性および選択性を向上させるために新規な過酸化水素溶液および／または反応パラメータが依然として必要とされている。
【発明の概要】
【発明が解決しようとする課題】
【０００４】
本発明の目的は、安全に取り扱い、貯蔵し、そして輸送することができ、不均一触媒の存在下のオレフィンのエポキシ化に好適であり、かつ、過酸化水素転化率を損なうことなくまたはそれをさらに向上させながら（プロピレンオキシドおよびエピクロロヒドリンなどの）オキシランに向けて向上した触媒の選択性を保証する新規の過酸化水素水溶液を提供することである。
【課題を解決するための手段】
【０００５】
本発明はそれ故、溶液の質量％として表される過酸化水素濃度［Ｈ2Ｏ2］および
ｐＨ最低＝３．４５−０．０３７７×［Ｈ2Ｏ2］
ｐＨ最高＝３．７６−０．０３７９×［Ｈ2Ｏ2］
であるような、ｐＨ最低からｐＨ最高の見掛けｐＨを有する過酸化水素水溶液に関する。
本発明の本質的な特徴の１つは、ｐＨ最低からｐＨ最高までのものでなければならない過酸化水素溶液の見掛けｐＨであって、ｐＨ最低およびｐＨ最高が次式：
ｐＨ最低＝３．４５−０．０３７７×［Ｈ2Ｏ2］
ｐＨ最高＝３．７６−０．０３７９×［Ｈ2Ｏ2］
に従って溶液の質量％として表される過酸化水素濃度［Ｈ2Ｏ2］に依存する見掛けｐＨにある。
例えば、４０質量％の過酸化水素濃度［Ｈ2Ｏ2］については、本発明による見掛けｐＨは１．９４〜２．２４のものであるはずである。
【０００６】
過酸化水素溶液の見掛けｐＨは、この溶液が（プロピレンオキシドまたはエピクロロヒドリンなどの）オキシランへの（プロピレンまたは塩化アリルなどの）オレフィンのエポキシ化のために使用されるときに、選択性に影響を及ぼすことが実に意外にも分かった。この溶液の見掛けｐＨは溶液の質量％として表される過酸化水素濃度［Ｈ2Ｏ2］に依存することがさらに分かった。最適ｐＨ範囲より低いｐＨを有する過酸化水素溶液の使用は、より低い選択性につながる。最適ｐＨ範囲より高いｐＨを有する過酸化水素溶液の使用は、過酸化水素のより低い選択性およびより低い転化率につながる。本発明による最適ｐＨを有する過酸化水素溶液の使用は、それ故最適選択性につながる。加えて、かかる最適の見掛けｐＨを有する過酸化水素溶液を使用するという事実は、過酸化水素転化率を損なわず、それをさらに向上させることができる。
【０００７】
表現「見掛けｐＨ」は、過酸化水素溶液の見掛けｐＨの測定のための電位差測定法を記載する、化学製造業者連盟欧州理事会ペルオキシゲンス（ＣＥＦＩＣ  ＰＥＲＯＸＹＧＥＮＳ）Ｈ2Ｏ2  ＡＭ−７１６０標準（２００３年３月）に基づく方法に従って測定されるｐＨである。この測定方法は、実施例において詳細に記載される。
【０００８】
本発明による方法で、過酸化水素水溶液は、当業者に公知の任意の方法に従って得ることができる。好ましくは、過酸化水素溶液は、周知のアルキルアントラキノン、またはＡＱ法（例えば、「ウルマンの工業化学百科事典（Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ）、第５版、１９８９年、第３巻、４４７−４５７ページ」を参照されたい）に従って得られる。表現「アルキルアントラキノン法」は、希釈剤中で、少なくとも１つのアルキルアントラキノンのおよび／または少なくとも１つのテトラヒドロアルキルアントラキノンの作業溶液を水素化工程にかけて、１つ以上のアルキルアントラヒドロキノンおよび／またはアルキルテトラヒドロアントラキノンを生成することにある過酸化水素水溶液の製造方法を意味することを意図される。水素化工程を出た作業溶液は次に、酸素、空気または酸素に富む空気での酸化にかけられて過酸化水素を与え、かつ、アルキルアントラキノンおよび／またはアルキルテトラヒドロアントラキノンを再形成する。形成過酸化水素は次に、例えば水を使用する、抽出工程を用いて作業溶液から分離され、過酸化水素は粗過酸化水素水溶液の形態で回収される。抽出工程を出た作業溶液は次に、過酸化水素製造サイクルを再開するために水素化工程へリサイクルされる。
【０００９】
用語「アルキルアントラキノン」は、例えば、少なくとも１個の炭素原子を含む線状または分岐の脂肪族タイプの少なくとも１つのアルキル側鎖で１、２または３位に置換された９，１０−アントラキノンを意味することを意図される。これらのアルキル鎖は通常、９個未満の炭素原子、好ましくは６個未満の炭素原子を含む。かかるアルキルアントラキノンの例は、２−エチルアントラキノン、２−イソプロピルアントラキノン、２−第二および２−第三ブチルアントラキノン、１，３−、２，３−、１，４−および２，７−ジメチルアントラキノン、ならびに２−イソ−および２−第三アミルアントラキノン、ならびにこれらのキノンの混合物である。
用語「アルキルアントラヒドロキノン」は、上に明記された９，１０−アルキルアントラキノンに対応する９，１０−ヒドロキノンを意味することを意図される。
【００１０】
アルキルアントラキノン法に加えて得られた粗過酸化水素水溶液は、いかなるその後の洗浄および／または精製処理も受けることなく、エポキシ化反応に使用することができる。
【００１１】
好ましい、別の実施形態では、アルキルアントラキノン法から得られた粗過酸化水素水溶液は、少なくとも１つのその後の精製工程にさらにかけることができる。その後の精製工程は、過酸化水素水溶液の不純物含有率を下げるための、当業者に周知である任意の方法からなることができる。例えば、蒸留工程は使用するのに好適である。用いることができる別のタイプの精製工程は、欧州特許出願ＥＰ第０９６５５６２号明細書に記載されているもののような、少なくとも１つの有機溶媒での洗浄操作である。この文書は、参照により本明細書に援用される。
アルキルアントラキノン法に加えて得られた粗過酸化水素水溶液は、いかなる追加の精製工程もなしに、それ故費用−および労働−集約的精製工程を回避してエポキシ化反応に使用することができる。
【００１２】
本発明による過酸化水素水溶液は一般に、８０％未満の、好ましくは７５％未満の、より好ましくは６０％未満の、溶液の質量％として表される過酸化水素濃度［Ｈ2Ｏ2］を有する。過酸化水素濃度［Ｈ2Ｏ2］は一般に、５％超、特に１０％超、多くの場合に２０％超、または３０％超さえである。少なくとも３２％、少なくとも３５％、少なくとも３８％の濃度が通例である。例えば、約４０％または５０％の過酸化水素濃度が普通である。
【００１３】
本発明による過酸化水素水溶液の見掛けｐＨは、強鉱酸の、好ましくは硝酸および／またはリン酸の添加によって求められる値に調整されてもよい。
本発明による過酸化水素水溶液の見掛けｐＨは、多くの場合に２．６０より低く、しばしば２．５５以下、普通は２．５０以下；例えば２．４５以下である。
【００１４】
過酸化水素溶液の見掛け酸性度（または見掛けｐＨは、指示薬またはｐＨ電極を用いる、過酸化水素の希釈サンプル（最高４．５％ｗ／ｗ）の水酸化ナトリウム溶液での滴定を記載する化学製造業者連盟欧州理事会ペルオキシゲンス（ＣＥＦＩＣ  ＰＥＲＯＸＹＧＥＮＳ）Ｈ2Ｏ2  ＡＭ−７１５９標準（２００３年３月）に従って測定される。本発明による過酸化水素水溶液の酸濃度は、２００ｍＬの水での１０ｍＬの過酸化水素サンプルの溶解後に、０．０１モル／Ｌの濃度を有する水酸化ナトリウム溶液および複合ガラスｐＨ電極を使用することによって測定され、この滴定は、ｐＨ５．３まで行われる。見掛け酸性度は、水酸化ナトリウムのミリモル／Ｌ単位で表される。本発明による過酸化水素水溶液は通常、０．１〜５ミリモル／Ｌの、好ましくは０．１５〜２．５ミリモル／Ｌの、より好ましくは０．２５〜１．５ミリモル／Ｌの、特に０．３〜０．８ミリモル／Ｌの、滴定によって測定された見掛け酸濃度を有する。見掛け酸性度はまた、ｍｇ／Ｌ  ＨＮＯ3の当量単位で計算して表すことができる。本発明による過酸化水素水溶液は通常、５〜３００ｍｇ／Ｌ  ＨＮＯ3の、好ましくは１０〜１５０ｍｇ／Ｌ  ＨＮＯ3の、より好ましくは１５〜１００ｍｇ／Ｌ  ＨＮＯ3の、特に２０〜５０ｍｇ／Ｌ  ＨＮＯ3の、滴定によって測定された見掛け酸濃度を有する。
【００１５】
本発明の過酸化水素水溶液はまた通常、有機不純物（キノン・シャトルの分解生成物、微量の希釈剤）および無機不純物（抽出水によって導入された陽イオンおよび陰イオン、ならびにアルキルアントラキノンの酸化に由来する混合物中に既に存在したもの）を含有する。
過酸化水素水溶液はこのように、ＩＳＯ標準８２４５に従って定義される、「ＴＯＣ」（全有機炭素濃度）として表される有機不純物を含む。かかるＴＯＣは一般に、少なくとも０．０１ｐｐｍ、好ましくは少なくとも１０ｐｐｍ、特に少なくとも５０ｐｐｍであり、少なくとも１００ｐｐｍの値は良好な結果を与える。ＴＯＣは通常、多くとも５００ｐｐｍ、多くの場合多くとも３００ｐｐｍであり、多くとも２５０ｐｐｍの値が普通である。ＴＯＣ含有率についての好適な範囲は、０．０１〜５００ｐｐｍ、好ましくは５０〜３００ｐｐｍ、特に１００〜２５０ｐｐｍである。
【００１６】
ＴＯＣは通常、例えば、ジメチルヘプタノール（ＤＭＨ）、ジイソブチルカルビノール（ＤｉＢＣ）、２，６−ジメチル−１，４−ヘプタンジオール（Ｃ9Ｈ20Ｏ2）、メチルシクロヘキシルアセテート、メチルシクロヘキサノール、テトラブチル尿素（ＴＢＵ）、トリオクチルホスフェート（ＴＯＰ）、および／またはソルベッソ（Ｓｏｌｖｅｓｓｏ）１５０などのアルキル化芳香族溶媒の分解生成物、すなわち、それらのアルキル鎖上で酸化された生成物化合物に相当するものなどの有機化合物を含有する。
【００１７】
好ましい実施形態では、ＴＯＣは、有機化合物として少なくともジイソブチルカルビノール（ＤｉＢＣ）、メチルシクロヘキシルアセテート、テトラブチル尿素（ＴＢＵ）、および／またはトリイソオクチルホスフェート（ＴＯＰ）を含有する。例えば、本発明による過酸化水素溶液は、溶液の３０〜２００質量ｐｐｍの、好ましくは５０〜１５０ｐｐｍの量の、約１００ｐｐｍの量が普通であるＤｉＢＣ、メチルシクロヘキシルアセテート、ＴＢＵおよび／またはＴＯＰでドープされてもよい。
【００１８】
上に説明されたように、過酸化水素水溶液はまた、低い含有率で、アルカリ金属またはアルカリ土類金属、例えばナトリウムなどの金属陽イオン、および／またはリン酸塩、硝酸塩などの陰イオンを含有してもよい。アルカリ金属およびアルカリ土類金属は通常、溶液の質量を基準として、１〜２００ｐｐｍの、好ましくは２０〜３０ｐｐｍの量で存在する。陰イオンは一般に、溶液の質量を基準として５０〜５００ｐｐｍの、好ましくは１００〜３００ｐｐｍの量で存在する。
【００１９】
本発明による過酸化水素水溶液の例は、３８〜４２質量％の過酸化水素濃度［Ｈ2Ｏ2］、本発明により定義されるｐＨ最低からｐＨ最高の、すなわち、それぞれ２．０２〜１．８７の、および２．３１〜２．１７の範囲に含まれる見掛けｐＨ、１５０〜２２０ｐｐｍのＴＯＣ含有率、２０〜３０ｐｐｍのアルカリ金属およびアルカリ土類金属の含有率、ならびに１００〜３００ｐｐｍの陰イオン含有率を有する過酸化水素水溶液である。
【００２０】
本発明の過酸化水素水溶液はまた、添加剤、その中でも安定剤を含有してもよい。かかる安定剤は、硝酸、リン酸、安息香酸、ジピコリン酸（ＤＰＡ）から、硝酸塩、リン酸塩、ピロリン酸塩、スス酸塩、安息香酸塩、サリチル酸塩、ジエチレントリアミンペンタ（メチレンホスホネート）、およびそれらの混合物から選ばれた塩から選ばれてもよい。塩は、アンモニウム塩またはアルカリ金属塩、特にアンモニウム塩またはナトリウム塩であってもよい。安定剤は好ましくは、硝酸、リン酸、ピロリン酸二ナトリウム、硝酸アンモニウム、硝酸ナトリウム、スズ酸ナトリウム、およびそれらの混合物から選ばれる。安定剤はより好ましくは、硝酸、リン酸、ピロリン酸二ナトリウム、およびそれらの混合物から選ばれる。安定剤は通常、１０〜２００ｐｐｍ、好ましくは５０〜１５０ｐｐｍの量で添加され、１００ｐｐｍの値が普通である。それらの量は、溶液の質量を基準とするものである。
【００２１】
本発明はまた、アントラキノン・ループ法による本発明の過酸化水素水溶液の製造方法に関する。本発明による方法は、以下の工程を含む：
ａ）少なくとも１つの有機溶媒および少なくとも１つのアントラキノン化合物を含む作業溶液の水素化工程、
ｂ）過酸化水素を形成するための水素化作業溶液の酸化工程、
ｃ）水性媒体での過酸化水素の抽出工程、
ｄ）場合により、抽出過酸化水素水溶液に安定剤を添加する工程、
ｅ）過酸化水素水溶液を所望の過酸化水素濃度に濃縮する工程、ならびに
ｆ）場合により、過酸化水素水溶液のｐＨを合わせる工程
【００２２】
周知のアントラキノン法およびその多数の修正の調査は、「ウルマンの工業化学百科事典（Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ）」、第５版、１９８９年、第３巻、４４７−４５７ページに示されている。別個のプロセス工程のそれぞれについて、ウルマン参考文献は、多数の異なる可能性を開示している。
【００２３】
本発明の方法から得られた溶液の過酸化水素濃度は、オレフィンのエポキシ化のために使用される前に、濃縮または希釈操作によって、合わせることができる。
本発明の方法から得られた溶液のｐＨは、必要ならば、必要量の酸または塩基をそれに添加することによって合わせることができる。典型的な酸は、リン酸および／または硝酸などの強鉱酸である。典型的な塩基は水酸化ナトリウムである。
【００２４】
本発明の過酸化水素溶液は、不均一触媒の存在下のオレフィンのエポキシ化法での使用に特に好適である。オレフィンのかかるエポキシ化法は好ましくは、水混和性溶媒の存在下に行われる。好ましくは、溶媒はメタノールである。好ましくは、不均一触媒は、ゼオライトベースの触媒であり、より好ましくはＴＳ−１として知られるチタニウムシリカライトベースの触媒である。オレフィンと過酸化水素との間の反応は、連続モードまたは回分式モードで行われてもよい。それは好ましくは連続的に行われる。有利には、生成したオキシランは、脱圧によっておよび／またはガス状化合物を使用するストリッピングによって反応媒体から取り出される、連続法の場合には、反応器を出た液相の少なくとも幾らかは有利には、好ましくはループ反応器を用いて再循環される。
【００２５】
過酸化水素および不均一触媒の存在下でのオレフィンの（特にプロピレンオキシドへのプロピレンの）エポキシ化のための典型的な方法は、その内容が参照により本明細書に含められる、ソルベイ社（ＳＯＬＶＡＹ  ＳＡ）の国際特許出願国際公開第９９／４８８８２号パンフレットに開示されている。この特許出願は、ゼオライト−ベースの触媒および溶媒の存在下でのプロピレンと過酸化物化合物との間の反応による１，２−エポキシプロパンの製造方法であって、プロピレン、過酸化物化合物、触媒、形成１，２−エポキシプロパンおよび溶媒を含む反応媒体のｐＨが４．８〜６．５である方法に関する。
【００２６】
過酸化水素および不均一触媒の存在下でのオレフィンのエポキシ化のための別の典型的な方法は、その内容が参照により本明細書に含められる、ソルベイ社（ＳＯＬＶＡＹ  ＳＡ）の国際特許出願国際公開第９９／４８８８３号パンフレットに開示されている。この特許出願は、エポキシドを製造するための連続法に関するものであり、それによれば、オレフィンは、ゼオライト−ベースの触媒の存在下におよび溶媒の存在下に過酸化物化合物と、液相で反応器において反応させられ、かつガス状化合物が、生成エポキシドの少なくとも幾らかを同伴するのに十分である流量で反応器へ連続的に導入され、生成エポキシドが反応器を出るポイントでガス状化合物と共に回収される。かかる方法の好ましい実施形態では、反応器はループ型反応器、例えば、バブル−サイホン（ｂｕｂｂｌｅ−ｓｉｐｈｏｎ）ループ型反応器である。
【００２７】
過酸化水素および不均一触媒の存在下でのオレフィンにエポキシ化のための別の典型的な方法は、その内容が参照により本明細書に含められる、ソルベイ社（ＳＯＬＶＡＹ  ＳＡ）の欧州特許出願ＥＰ第１１２２２４９号明細書に開示されている。この特許出願は、触媒および有機希釈剤の存在下にオレフィンと過酸化水素とを反応させてオキシランを形成する工程を含む方法であって、過酸化水素が、その後の洗浄、精製処理またはそれらの組み合わせを伴わずに、少なくとも１つのアルキルアントラヒドロキノンの酸化に由来する混合物を、実質的に純粋な水で抽出して得られた過酸化水素水溶液である方法を開示している。
【００２８】
過酸化水素および不均一触媒の存在下でのオレフィンのエポキシ化のための別の典型的な方法は、その内容が参照により本明細書に含められる、ソルベイ社（ＳＯＬＶＡＹ  ＳＡ）の国際特許出願国際公開第０２／００６３４号パンフレットに開示されている。この特許出願は、触媒を含有する少なくとも１つの反応器と、少なくとも２つの蒸留塔とを含むプラントで触媒、溶媒および水の存在下にオレフィンを過酸化物化合物と反応させることによるオキシランの連続製造法に関するものであり、それによれば、
−オレフィン、触媒、過酸化物化合物および水が反応器へ導入され、
−オキシランを形成するためにオレフィンのエポキシ化が実施され、
−形成オキシラン、未変換オレフィン、溶媒、未消費過酸化物化合物、水およびおそらく副生物を含む媒体が反応器から取り出され、
−媒体が蒸留塔（Ａ）へ導入され、
−大部分の形成オキシランおよび未変換オレフィン、溶媒、水およびおそらく副生物を含有する混合物が塔（Ａ）のトップで集められ、
−この混合物が未変換オレフィンの幾らかを除去するために凝縮器へ導入され、
−未変換オレフィンが激減した混合物が液体形態で集められ、
−この液体混合物が第２蒸留塔（Ｂ）へ導入され、
−溶媒と水との混合物が塔（Ｂ）のボトムで集められ、反応器へリサイクルされ、そして
−オキシラン−ベースの媒体が塔（Ｂ）のトップで集められる。
【００２９】
過酸化水素および不均一触媒の存在下でのオレフィンのエポキシ化のためのさらなる典型的な方法は、その内容が参照により本明細書に含められる、ソルベイ社（ＳＯＬＶＡＹ  ＳＡ）の国際特許出願国際公開第０２／００６３５号パンフレットに開示されている。この特許出願は、そのそれぞれが触媒の一部を含有する、直列に配置された少なくとも２つの反応器で触媒および溶媒の存在下にオレフィンを過酸化物化合物と反応させることによるオキシランの製造法を開示しており、それによれば、
−オレフィンの第１部分、溶媒および過酸化物化合物が第１反応器へ導入され、
−オキシランの第１部分を形成するためにオレフィンの第１部分のエポキシ化がその中で実施され、
−形成オキシランの第１部分、溶媒、未変換オレフィン、および、適切な場合、未消費過酸化物化合物を含む媒体がこの反応器から取り出され、
−この媒体が蒸留塔へ導入され、
−大部分の形成オキシランおよび大部分の未変換オレフィンが塔のトップで集められ、
−オキシランが激減した、適切な場合、未消費過酸化物化合物を含有する媒体が塔のボトムで集められ、
−オキシランが激減した媒体と別の部分のオレフィンと場合により別の部分の過酸化物化合物とが次の反応器へ導入され、
−別の部分のオキシランを形成するために他の部分のオレフィンのエポキシ化がそこで実施され、そして
−こうして形成された他の部分のオキシランが集められる。
【００３０】
過酸化水素および不均一触媒の存在下でのオレフィンのエポキシ化のための別の有用な方法は、その内容が参照により本明細書に含められる、ソルベイ社（ＳＯＬＶＡＹ  ＳＡ）の国際特許出願国際公開第０２／０９２５８６号パンフレットに開示されている。この方法では、エポキシ化反応は、水、１つ以上の有機溶媒、触媒、および無機または有機塩基、塩のおよびその共役酸または共役塩基の混合物、塩、ならびにそれらの混合物から選ばれた、エポキシ化に向けて触媒の選択性を増大させるための１つ以上の化合物の存在下に、液相を含有する反応器で行われ、ここで、
−この方法が回分式モードで行われる場合、反応が始まるときに反応器中に存在する液相が、
−この方法が連続的に行われる場合、反応器へ連続的に供給される液相の全てが、
少なくとも０．１ｇ／ｋｇの、および６７５ｇ／ｋｇ以下の全有機溶媒含有率を有する。
【００３１】
本発明の過酸化水素溶液は、プロピレンと過酸化水素との間の反応によるプロピレンオキシド（すなわち、１，２−エポキシプロパン）の製造に特に有用である。それはまた、塩化アリルと過酸化水素との間の反応によるエピクロロヒドリンの製造のためにも使用することができる。過酸化水素溶液の見掛けｐＨは、この溶液がこれらのオレフィン（特にプロピレンオキシドへのプロピレン）のエポキシ化のために使用されるときに、選択性に影響を及ぼすことが実に意外にも分かった。この溶液の見掛けｐＨは溶液の質量％として表される過酸化水素濃度［Ｈ2Ｏ2］に依存することがさらに分かった。最適ｐＨ範囲より低いｐＨを有する過酸化水素溶液の使用は、より低い選択性につながる。最適ｐＨ範囲より高いｐＨを有する過酸化水素溶液の使用は、過酸化水素のより低い選択性およびより低い転化率につながる。本発明による最適ｐＨを有する過酸化水素溶液の使用は、それ故最適選択性につながる。加えて、かかる最適の見掛けｐＨを有する過酸化水素溶液を使用するという事実は、過酸化水素転化率を損なわず、それをさらに向上させることができる。
【００３２】
本発明はまた、プロピレンと過酸化水素との間の反応によるプロピレンオキシドの製造方法であって、本発明による過酸化水素水溶液が使用される方法に関する。
【００３３】
本発明は、範囲をそれに限定することなく下にさらに例示される。
【実施例】
【００３４】
ｐＨ測定
ｐＨ測定は、化学製造業者連盟欧州理事会ペルオキシゲンス（ＣＥＦＩＣ  ＰＥＲＯＸＹＧＥＮＳ）Ｈ2Ｏ2  ＡＭ−７１６０標準（２００３年３月）に基づく方法に従って行った。
ｐＨを測定する前に、溶液を、二重エンベロープ付き測定セルおよび再循環水浴を用いて２０．０℃±０．１℃に温度調節した。測定セルは、ホウケイ酸ガラスから構成され、１５０ｍＬの容量を有し、（電極、温度プローブおよび窒素流れの挿入用の）多口カバーを備え付けている。
ｐＨメータは、メトローム（ＭＥＴＲＯＨＭ）製のモデル８２７であった。使用した複合ガラス電極は、低導電性溶液での迅速なｐＨ測定に特に適した、メトローム（ＭＥＴＲＯＨＭ）製のアクアトローデ・プラス（Ａｑｕａｔｒｏｄｅ  Ｐｌｕｓ）（６．０２０５７．０００）である。電極は、Ｐｔ  １０００温度センサーを備え付け、かつ、対照区画の汚染を回避する、固定摺合せ隔膜を有する。ガラス電極は、それぞれ７５ｍＬの２つの次の緩衝液で較正した。
−四シュウ酸カリウムを含有する、ｐＨ１．６８（２０℃）の緩衝液
−フタル酸カリウム水素を含有する、ｐＨ４．００（２０℃）の緩衝液
【００３５】
次に７５ｍＬのサンプルをきれいな乾燥測定セルに入れた。カバーを取り換え、空域を窒素でフラッシュした（二酸化炭素を含まない）。電極をサンプル溶液中に浸け、それを次にかき混ぜた。サンプルの見掛けｐＨは、読みが安定したときにメータから直接読み取った。ｐＨメータの分解能は、温度補償付きおよびスロープコントロール付きで、０．０１ｐＨ単位である。
【００３６】
実施例１〜５：ｐＨ最低より低いｐＨとの比較
実施例１および２については、図１による設備を用いた。「シャトル」と呼ばれる液体流れを、シリカマトリックス（６５質量％）中に分散されかつゾル−ゲル・タイプの方法によって得られた３５％チタニウムシリカライトからなるビーズ形態のＴＳ−１を含有する反応器（１）のボトムへパイプ（２）を通して導入した。この流れは、プロピレン、過酸化水素、水、プロピレンオキシドおよびその副生物ならびにメタノールを含んだ。液体流れは、矢印の方向に反応器中を循環した。反応器を出るとすぐに、反応媒体はバルブ（３）を用いて脱圧した。この脱圧に、ストリッピング塔（５）に流量計（４）を用いるガス状化合物のスパージングが続いた。主として生成プロピレンオキシド、未変換プロピレン、ストリッピングのために使用される窒素、および微量のメタノールからなるガスが、パイプ（６）を通ってストリッピング塔（５）を出た。塔のトップを出た液相は、パイプ（７）を通して反応器へ一部リサイクルし、オーバーフローパイプ（８）を通して一部取り出した。Ｈ2Ｏ2溶液を、パイプ（９）を通してリサイクルされる分画に加え、メタノールを、パイプ（１０）を通して加えた。このようにして得られた混合物を次に、ポンプ（１１）を通して飽和器（１２）へ通した。この飽和器に流量計（１３）を通して圧力下のプロピレンを供給し、その出口で、一方では、脱圧バルブ（１５）を通してパイプ（１４）によって出ていく気相の未溶解プロピレンと、他方では、パイプ（２）を通して反応器（１）へ供給されるシャトルとを集めた。
【００３７】
メタノール流量およびストリッピングのために使用する窒素の流量を調節してプラントでの一定の滞留時間を維持した。オーバーフロー液体の流量は約１０６〜１２０ｇ／時であった。シャトル循環速度は５Ｌ／時であった。
【００３８】
Ｈ2Ｏ2転化率およびＰＯ／Ｃ3ｆ選択率は次の通り推定した：
（１）転化率の計算
Ｈ2Ｏ2の転化率は、Ｈ2Ｏ2入口および出口流量から計算した。
ＴＣ（％）＝１００×（モル／時単位での使用Ｈ2Ｏ2−モル／時単位での未変換Ｈ2Ｏ2）／モル／時単位での使用Ｈ2Ｏ2
ここで、未変換Ｈ2Ｏ2＝モル／ｋｇ単位でのオーバーフロー液体のＨ2Ｏ2濃度×ｋｇ／時単位でのオーバーフロー液体流量
【００３９】
（２）ＰＯ／Ｃ3ｆ選択率の計算
ＰＯ／Ｃ3ｆ選択率（％）＝１００×ＰＯ形成／Σ（ＰＯ＋副生物）形成
【００４０】
実施例１および２の条件を表１に示す。
【表１】
0005397368.tif 000002
【００４１】
実施例１および２は、２つの異なる温度、それぞれ６７℃および５５℃で行ったが、さらなる実施例（実施例５）は、実施例２に基づいてならびに実施例３および４の結果に基づいて計算した。
実施例３および４は、メタノールのおよび直径０．５ｍｍビーズの形態で使用される触媒ＴＳ−１の存在下にプロピレンと過酸化水素との間の反応により、特許出願国際公開第９９／４８８８３号パンフレットに開示されているようなバブルサイホン反応器で行った。
それらは、３９質量％Ｈ2Ｏ2溶液を使用して、過酸化水素を０．５７モル／時の流量で連続供給して、５５℃および６８℃でならびに１．３３バールで実施した。プロピレン流量は２５０ＬＮ／時であった。ゼロ−転化ループにおける初期Ｈ2Ｏ2転化は２．０〜２．５モル／ｋｇであった。使用触媒の量は、５．２５ｇのＴＳ−１を含有する１５ｇのビーズであった。
【００４２】
６時間の運転時間後に実施例３および４について得られた結果を表２に示す。
【表２】
0005397368.tif 000003
【００４３】
実施例５について計算された結果だけでなく、２４時間の運転時間後に実施例１および２について得られた結果を表３にまとめる。
【表３】
0005397368.tif 000004
【００４４】
３９％の過酸化水素濃度［Ｈ2Ｏ2］を有する過酸化水素水溶液については、過酸化水素溶液の最適見掛けｐＨは１．９９〜２．１９であるはずである。
実施例５は本発明に従って行われ、２４時間後に８７．６％の選択率につながる。比較例１（本発明により定義されるｐＨ最低より低い見掛けｐＨ）は、２４時間後により低い選択率、すなわち、８５．５％を示す。
【００４５】
実施例６〜１０：ｐＨ最高より高いｐＨとの比較
実施例６〜９の４つの試験は、実施例１および２について使用したものと同じ設備を用いて実施した。実施例６〜９の条件を表４に示す。
Ｐｅ（プロピレン）は、低いメタノール含有率の媒体に溶けにくいので、飽和器の圧力および温度を、Ｐｅ濃度をおおよそ一定に保つために調節した。
【００４６】
【表４】
0005397368.tif 000005
【００４７】
実施例６に使用した１０質量％Ｈ2Ｏ2溶液は、３．８０に等しい見掛けｐＨを有する３９質量％溶液から希釈によって調製した。
実施例６および７は、２つの異なるメタノール供給速度、それぞれ１３０および２５１ｍＬ／時で行ったが、さらなる実施例（実施例１０）は、実施例７に基づいてならびにｐＨを測定しなかった実施例８および９について得られた結果に基づいて計算した。
【００４８】
２４時間の運転時間後に実施例８および９について得られた結果を表５に示す。
【表５】
0005397368.tif 000006
【００４９】
実施例１０について計算された結果だけでなく、２４時間の運転時間後に実施例６および７について得られた結果を下の表６にまとめる。
【表６】
0005397368.tif 000007
【００５０】
３９％の過酸化水素濃度［Ｈ2Ｏ2］を有する過酸化水素水溶液については、過酸化水素溶液の最適見掛けｐＨは１．９９〜２．１９のものであるはずである。９．８％の過酸化水素濃度［Ｈ2Ｏ2］については、過酸化水素溶液の最適見掛けｐＨは３．０９〜３．２９であるはずである。
【００５１】
表６の結果は、ｐＨがｐＨ最高より上であるとき、Ｈ2Ｏ2の転化率のかなりの低下（９４．５％から７０．７％へ）だけでなく、選択率の低下（８５．４％から８２．７％へ）も２４時間後に観察されることを示す。
【図１】
0005397368.tif 000008